(57)【要約】【課題】  携帯電話機のようなユーザ情報端末から駐車場の予約を行う。【解決手段】  ユーザ情報端末（10）と、情報サーバ装置（20）と、駐車場情報を情報サーバ装置に供給する複数の駐車場端末（41〜43）とを備える。ユーザ情報端末は、駐車場問い合わせ情報を情報サーバ装置に送信する手段と、予約申し込み情報を情報サーバ装置に送信する手段とを有する。情報サーバ装置は、駐車場情報に基づき駐車場問い合わせ情報に回答する手段と、回答した駐車場に関する予約申し込み情報を受けたとき当該駐車場の予約確定情報をユーザ情報端末および当該駐車場端末に送信する手段とを有する。各駐車場端末は、当該駐車場への入庫を試みるユーザが提示した予約確定情報を読み取り該読み取った予約確定情報と情報サーバ装置からの予約確定情報との照合結果に基づき入庫の可否を判定する手段を有する。【選択図】      図１
2005165757.tif 000002
【特許請求の範囲】
【請求項１】
ユーザが所持するユーザ情報端末と、該ユーザ情報端末と通信可能に接続された情報サーバ装置と、所定の駐車場の所在地および予約状況を含む駐車場情報を前記情報サーバ装置に供給する複数の駐車場端末とを備え、
前記ユーザ情報端末は、予約可能な駐車場を問い合わせるための駐車場問い合わせ情報を前記情報サーバ装置に送信する手段と、所定の駐車場を予約するための予約申し込み情報を前記情報サーバ装置に送信する手段とを有し、
前記情報サーバ装置は、前記各駐車場端末からの駐車場情報に基づき前記ユーザ情報端末からの駐車場問い合わせ情報に対応する駐車場を回答する手段と、回答した駐車場に関する予約申し込み情報を受けたとき当該駐車場の予約確定情報を前記ユーザ情報端末および当該駐車場端末に送信する手段とを有し、
前記各駐車場端末は、当該駐車場への入庫を試みるユーザが提示した予約確定情報を読み取り該読み取った予約確定情報と前記情報サーバ装置からの予約確定情報との照合結果に基づき入庫の可否を判定する手段を有することを特徴とする駐車場予約システム。
【請求項２】
さらに、交通機関に関する路線情報を前記情報サーバ装置に供給する交通機関端末を備え、
前記ユーザ情報端末は、現在地の位置情報と前記交通機関の交通手段を利用した目的地への経路を問い合わせる経路問い合わせ情報とを前記情報サーバ装置に送信する手段を有し、
前記情報サーバ装置は、前記ユーザ情報端末から経路問い合わせ情報を受けたとき、前記位置情報および前記路線情報に基づき前記ユーザ情報端末の現在地から目的地への経路と該経路に沿った予約可能な駐車場とを前記回答手段により回答することを特徴とする請求項１記載の駐車場予約システム。
【請求項３】
前記情報サーバ装置は、前記ユーザ情報端末からの経路問い合わせ情報に対する経路および駐車場の組み合わせとして、目的地までの費用が最小となる組み合わせ、所要時間が最短となる組み合わせ、および、交通手段の乗換回数が最小となる組み合わせのうちの少なくとも１つを前記回答手段により回答することを特徴とする請求項２記載の駐車場予約システム。
【請求項４】
さらに、ユーザの車両が走行可能な経路を案内表示するナビゲーション装置を備え、
前記ユーザ情報端末は、予約が確定した駐車場に対応する駐車場情報を前記情報サーバ装置から取得し該取得した駐車場情報を前記ナビゲーション装置に供給する手段を有し、
前記ナビゲーション装置は、前記ユーザ情報端末からの駐車場情報に基づき、現在地から当該駐車場までの経路を案内表示することを特徴とする請求項１記載の駐車場予約システム。
【請求項５】
前記各駐車場端末は、前記判定において入庫を許可したとき、当該車両を駐車すべき位置を示す駐車位置情報を前記手段により前記ユーザ情報端末に送信することを特徴とする請求項１記載の駐車場予約システム。
【請求項６】
予約可能な駐車場に関するユーザ情報端末からの問い合わせに対し、駐車場の所在地および予約状況を含む駐車場情報に基づき前記問い合わせに対応する駐車場を回答する手段と、
回答した駐車場に関する予約申し込み情報を受けたとき当該駐車場の予約確定情報を前記ユーザ情報端末に送信する手段とを備えることを特徴とする情報サーバ装置。
【請求項７】
さらに、ユーザ情報端末の現在地の位置情報と交通機関に関する路線情報とを取得する手段を備え、
前記ユーザ情報端末から前記交通機関の交通手段を利用した目的地への問い合わせを受けたとき、前記位置情報および前記路線情報に基づき前記ユーザ情報端末の現在地から目的地への経路と該経路に沿った予約可能な駐車場とを前記回答手段により回答することを特徴とする請求項６記載の情報サーバ装置。
【請求項８】
前記目的地への問い合わせに対する経路および駐車場の組み合わせとして、目的地までの費用が最小となる組み合わせ、所要時間が最短となる組み合わせ、および、交通手段の乗換回数が最小となる組み合わせのうちの少なくとも１つを前記回答手段により回答することを特徴とする請求項７記載の情報サーバ装置。
【請求項９】
所定の駐車場の所在地および予約状況を含む駐車場情報を情報サーバ装置に送信する手段と、
前記情報サーバ装置から当該駐車場の予約の確定を示す予約確定情報を受信する手段と、
前記駐車場への入庫を試みるユーザが提示した予約確定情報を読み取り該読み取った予約確定情報と前記情報サーバ装置からの予約確定情報との照合結果に基づき入庫の可否を判定する手段とを備えることを特徴とする駐車場端末。
【請求項１０】
前記判定において入庫を許可したとき、当該車両を駐車すべき位置を示す駐車位置情報を前記手段によりユーザ情報端末に送信することを特徴とする請求項９記載の駐車場端末。
【請求項１１】
プログラム制御により動作するコンピュータを請求項６乃至８のいずれか１項に記載の情報サーバ装置として機能させることを特徴とするプログラム。
【請求項１２】
プログラム制御により動作するコンピュータを請求項９又は１０記載の駐車場端末として機能させることを特徴とするプログラム。
【発明の詳細な説明】
【技術分野】
【０００１】
本発明は、携帯電話機のようなユーザ情報端末を用いてネットワーク上で駐車場の予約を行うシステムに関する。
【背景技術】
【０００２】
従来、ユーザが外出先等において駐車場を予約するにあたり、予約可能な駐車場を携帯電話機により検索可能としたシステムが存在する。この種のシステムとして、例えば後述の特許文献１に記載されたものがある。文献１のシステムには、駐車場の空きスペースに関する情報を持つセンターサーバが設けられており、このセンターサーバが、空きスペースの情報に基づき、携帯電話機から駐車場の問い合わせに対し予約可能な駐車場の情報を回答する。ユーザは、センターサーバから回答された情報を用いて、携帯電話機から電話連絡により予約を行う。
【特許文献１】特開２００２−３１８９５９号公報
【発明の開示】
【発明が解決しようとする課題】
【０００３】
しかしながら、上記のような従来のシステムでは、予約可能な駐車場情報が携帯電話機に通知されても、ユーザは、当該駐車場への予約を自ら電話連絡にて行う必要があり、しかも、その際に通知される予約番号を書き留めなければならず、早急に駐車場を予約したいユーザにとっては面倒な作業となる。
【０００４】
また、昨今では、都市部での道路混雑を避けるために、郊外の駅周辺に自動車を駐車し、その先は鉄道やバス等の交通手段により都市部へ移動するという、いわゆる「パーク・アンド・ライド（Park and Ride）」という考え方が普及している。ここでは、交通手段のコストや所要時間などを考慮して駐車場を選択することが望ましいが、従来のシステムを利用しても、駐車場の検索地域はユーザが指定する必要があることから、目的地への移動に適した駐車地域を検討することはユーザにとって負担となる。
【０００５】
本発明は、上記課題に鑑みてなされたものであり、駐車場の選定および予約を円滑に行うことが可能となる駐車場予約システムを提供することを目的とする。
【課題を解決するための手段】
【０００６】
本発明に係る駐車場予約システムは、ユーザが所持するユーザ情報端末と、該ユーザ情報端末と通信可能に接続された情報サーバ装置と、所定の駐車場の所在地および予約状況を含む駐車場情報を前記情報サーバ装置に供給する複数の駐車場端末とを備え、前記ユーザ情報端末は、予約可能な駐車場を問い合わせるための駐車場問い合わせ情報を前記情報サーバ装置に送信する手段と、所定の駐車場を予約するための予約申し込み情報を前記情報サーバ装置に送信する手段とを有し、前記情報サーバ装置は、前記各駐車場端末からの駐車場情報に基づき前記ユーザ情報端末からの駐車場問い合わせ情報に対応する駐車場を回答する手段と、回答した駐車場に関する予約申し込み情報を受けたとき当該駐車場の予約確定情報を前記ユーザ情報端末および当該駐車場端末に送信する手段とを有し、前記各駐車場端末は、当該駐車場への入庫を試みるユーザが提示した予約確定情報を読み取り該読み取った予約確定情報と前記情報サーバ装置からの予約確定情報との照合結果に基づき入庫の可否を判定する手段を有する。
【０００７】
また、本発明に係る駐車場予約システムは、さらに、交通機関の路線情報を前記情報サーバ装置に供給する交通機関端末を備えることができる。その場合、前記ユーザ情報端末は、現在地の位置情報を前記情報サーバ装置に送信する手段と、前記交通機関の交通手段を利用した目的地への経路を問い合わせる経路問い合わせ情報を前記情報サーバ装置に送信する手段とを有し、前記情報サーバ装置の前記応答手段は、前記ユーザ情報端末から経路問い合わせ情報を受けたとき、前記ユーザ情報端末の現在地から目的地への経路と該経路に沿った予約可能な駐車場とを前記位置情報および前記路線情報に基づき応答する。
【発明の効果】
【０００８】
本発明に係る駐車場予約システムによれば、情報サーバ装置が、予約可能な駐車場の検索に加え、当該駐車場の予約処理を行うことから、ユーザは、自ら駐車場への予約手続きを行うことなく円滑に駐車スペースを確保することができる。また、予約成立時に情報サーバ装置から予約確定情報が発行され、この予約確定情報により駐車場端末が入庫の可否を判定することから、予約したユーザは速やかに駐車を行うことができ、目的地への移動における時間のロスを回避できる。
【発明を実施するための最良の形態】
【０００９】
［実施例１］
以下、本発明の実施例について図面を用いて詳細に説明する。図１は、本発明による実施例１の駐車場予約システムの構成を示すブロック図である。本実施例のシステム１０１は、図１に示すように、ユーザが所持する携帯電話機１０と、この携帯電話機１０と通信可能な情報サーバ装置２０と、各駐車場３１〜３３における車両の入出庫を管理する駐車場端末４１〜４３とを備える。携帯電話機１０、情報サーバ装置２０および駐車場端末４１〜４３は、インターネットのようなネットワーク１００を介して相互に通信可能に接続されている。
【００１０】
携帯電話機１０を所持するユーザの車両１１には、走行経路を案内表示する、従来知られたナビゲーション装置１２が搭載されている。携帯電話機１０は、従来の携帯電話機と同様に、現在地の位置情報を発信する機能を有し、システム１０１では、この位置情報が情報サーバ装置２０へ供給される。
【００１１】
駐車場端末４１〜４３は、それぞれ同様な構成を成し、例えば駐車場３１の駐車場端末４１は、駐車場３１の所在地および車庫の空き状況等を含む駐車場情報を保持する記憶部４１ａと、車庫の予約に関連する処理を行う制御部４１ｂとを有する。制御部４１ｂは、記憶部４１ａの駐車場情報を定期的あるいは情報の変動がある毎に情報サーバ装置２０へ通知する。また、各駐車場端末４１〜４３には、あらかじめ車庫を予約したユーザのための専用ゲートが設けられており、この専用ゲートには、当該駐車場に入庫を試みるユーザから後述の予約確定情報を取得する手段である予約情報取得部４１ｃが設けられている。この予約情報取得部４１ｃは、情報サーバ装置２０の制御部４１ｂに接続されており、その動作手順については後に説明する。
【００１２】
情報サーバ装置２０は、携帯電話機１０からの位置情報および当該ユーザに関する情報を保持する顧客データベース２１と、各駐車場端末４１〜４３からの駐車場情報を保持する駐車場データベース２２と、これらのデータベース２１および２２を用いて後述の予約処理を行う制御部２３とを有する。
【００１３】
実施例のシステム１０１において駐車場の予約サービスを提供するにあたっては、例えばユーザから予約手数料を徴収する、あるいは会員制のシステムとし、会員となったユーザから定期的に会費を徴収する等により、運営費用を確保する。また、会員に対しては、予約手数料を無料とする、あるいは駐車費用を割り引く等により、非会員のユーザとの差別化を図ることが可能となる。
【００１４】
本実施例のシステム１０１の動作手順を図２のシーケンス図に沿って説明する。ここでは、予め会員登録により会員ＩＤを発行されたユーザが本システム１０１を利用する手順を説明する。まず、駐車場を予約しようとするユーザが携帯電話機１０からネットワーク１００を介して情報サーバ装置２０に接続すると（ステップＳ１０１）、情報サーバ装置２０は、ユーザの会員ＩＤおよび予約したい駐車場の地域を確認すべく、携帯電話機１０の表示機構（図示略）に図３に示すような入力画面を表示させる情報を送信する（ステップＳ１０２）。図示の画面には、所望の地域を入力する項目が設けられているが、このような構成に代えて、予め設定された複数の地域から選択するようなものであってもよく、また、その選択肢に「最寄りの駐車場」との項目を設けてもよい。これは、ユーザの現在地から最寄りの駐車場を検索するよう指示するものである。
【００１５】
ユーザが図示の問い合わせ画面にＩＤおよび希望地域の入力を終えると、携帯電話機１０は、入力内容を示す駐車場問い合わせ情報を情報サーバ装置２０へ通知する（ステップＳ１０３）。情報サーバ装置２０の制御部２３は、受信した問い合わせ情報の希望地域に対応した駐車場を駐車場データベース２２の駐車場情報から検索し、そのうち、空きの車庫が存在する駐車場を抽出する。ここでは、図１の駐車場３１〜３３が該当したとする。また、ユーザに上記の「最寄りの駐車場」を選択されていた場合は、顧客データベース２１から携帯電話機１０の位置情報を取得し、この位置情報に対応する駐車場を抽出する。
【００１６】
情報サーバ装置２０の制御部２３は、抽出した駐車場３１〜３３を選択肢とする図４に示すような画面を携帯電話機１０に表示させる空き駐車場情報を生成し（ステップＳ１０４）、これを携帯電話機１０に送信する（ステップＳ１０５）。図示の画面では、駐車場３１に対応する「パーキングＬ」、駐車場３２の「パーキングＭ」および駐車場３３の「パーキングＮ」が示されている。携帯電話機１０が情報サーバ装置２０から空き駐車場情報を受信し（ステップＳ１０６）、これを画面表示すると、ユーザは所望の駐車場を選択する。ここでは、一例として、駐車場３１の「パーキングＬ」が選択されたものとする。情報サーバ装置２０は、この選択内容をユーザが確認するための図５に示すような確認画面の情報を携帯電話機１０に供給する。図５の画面においてユーザが画面内容を承諾する操作を行うと、携帯電話機１０は、選択された駐車場３１を予約するための予約申し込み情報を情報サーバ装置２０へ送信する（ステップＳ１０７）。
【００１７】
情報サーバ装置２０の制御部２３は、予約申し込み情報に対応する駐車場３１の予約を確定したことを示す予約確定情報を生成し（ステップＳ１０８）、これを携帯電話機１０および駐車場３１の駐車場端末４１に送信する（ステップＳ１０９）。携帯電話機１０に対する予約確定情報は、例えば図６に示すような通知画面の情報である。予約確定情報は、後に説明する入庫手順においてユーザが当該駐車場にて提示するものである。図６に示す例では、予約確定情報として予約番号が示されているが、その形態は図示の例に限らず、例えば、赤外線通信により伝搬可能な情報、あるいは２次元バーコード化された情報など、駐車場において情報内容を提示できる形態であれば、携帯電話機１０の機能に応じて適宜採用することができる。このような予約確定情報を携帯電話機１０に供給することにより、ユーザは、予約したことを証明する情報を、駐車場への入庫時まで確実に保持することができる。
【００１８】
また、情報サーバ装置２０は、図６の画面において、ユーザが駐車場までの走行ルートの送信を希望した場合、ナビゲーション装置１２が駐車場３１までのルートを案内表示するための情報を予約確定情報と併せて携帯電話機１０へ送信する。
【００１９】
携帯電話機１０は、情報サーバ装置２０からの予約確定情報を保存し（ステップＳ１１０）、また、駐車場３１までのルート情報を得た場合は、これをナビゲーション装置１２に送信する（ステップＳ１１１）。ナビゲーション装置１２は、供給されたルート情報に基づき、現在地から駐車場３１までの走行ルートの案内表示を開始する。ナビゲーション装置１２の案内表示機能は、従来知られた手法を用いることができ、ここでは説明を省略する。
【００２０】
一方、駐車場３１の駐車場端末４１は、情報サーバ装置２０から予約確定情報を受信すると、これを記憶部４１ａに保存すると共に（ステップＳ１１２）、当該車庫の車止め機構を作動させる等により、当該ユーザのための駐車スペースを確保する（ステップＳ１１３）。これをもって、駐車場の予約に関する一連の処理が終了する。
【００２１】
続いて、予約した駐車場にユーザが入庫する際の手順を図７のシーケンス図に沿って説明する。ここでは、携帯電話機１０のユーザが、予約した駐車場３１に車両１１を駐車する例を説明する。
【００２２】
ユーザ車両１１が駐車場３１における予約ユーザのための専用ゲートに到着すると、ユーザは、このゲート付近に設置された所定の読み取り機構に、携帯電話機１０が保持する予約確定情報を提示する（ステップＳ１１４）。この読み取り機構は、上述した予約情報取得部４１ｃに対応し、具体的には、例えば携帯電話機１０に保存された予約番号をユーザが参照してキー入力する機構、あるいは、携帯電話機１０との赤外線通信により予約確定情報を取得する機構や携帯電話機１０が表示する２次元バーコードから予約確定情報を読み取る機構のような非接触型の読み取り機構等である。
【００２３】
予約情報取得部４１ｃが予約確定情報を取得すると（ステップＳ１１５）、制御部４１ｂは、この情報と、先に情報サーバ装置２０から通知された（図２：ステップＳ１０９）予約確定情報とを照合する。そして、両者が一致することを検知したとき（ステップＳ１１６）、制御部４１ｂは、車両１１に対し専用ゲートからの入庫を許可すると共に、当該車庫の位置情報を携帯電話機１０に送信する（ステップＳ１１７）。また、仮に、予約を行っていないユーザが予約確定情報として何らかの情報を提示しても、先に情報サーバ装置２０から得た予約確定情報と一致しないことから、このユーザに対し専用ゲートからの入庫は許可されない。
【００２４】
駐車場端末４１から携帯電話機１０に供給された位置情報は、例えば、駐車場３１内における車庫番号の情報、あるいは当該車庫までのルートをナビゲーション装置１２に案内表示させるための情報のように、予約した車庫への移動を補助する情報である。なお、車庫への案内にあたっては、位置情報を携帯電話機１０に送信することに代えて、例えば、当該車庫へのルートに沿って駐車場３１内の照明を点灯あるいは点滅させるよう、制御部４１ｂが制御してもよい。
【００２５】
ユーザは、駐車場端末４１から入庫の許可を得ると、例えば携帯電話機１０に通知された上記の位置情報に従い、専用ゲートから車両１１を移動させ、当該車庫へ駐車する（ステップＳ１１８）。これをもって、駐車場３１への入庫手順が終了する。
【００２６】
以上説明したように、実施例１のシステム１０１によれば、情報サーバ装置２０が携帯電話機１０および各駐車場端末４１〜４３と協働して、駐車場の検索および予約処理を行うことから、ユーザは、駐車場に対し直接的な予約手続きを行う手間を省くことができる。また、上記実施例のように、駐車場に専用ゲートを設け、このゲートで予約番号等を照合することにより、予約を行ったユーザが速やかに入庫することができ、これにより、予約したユーザが一般ユーザと共に入庫待ちを強いられるという事態を回避できる。
【００２７】
上記実施例では、駐車場の予約について説明したが、システム１０１を利用して、駐車場の利用に伴う支払い処理を行うこともできる。その場合、例えば、情報サーバ装置２０の顧客データベース２１に、各会員の決済方法や引き落とし口座等を登録しておき、制御部２３が、当該会員に発生した駐車場の利用料を所定期間毎に清算し、その請求内容を携帯電話機１０に通知する。そして、予め登録された決済方法により利用料を回収する。また、非会員に対しては、例えばクレジット決済を前提とし、駐車場の予約時にカード番号を入力する画面を与えるようにする。決済は、例えば予約ごとに、情報サーバ装置２０からクレジットカード会社へ請求するようにすればよい。これにより、ユーザは利用料の支払いに現金が不要となることから、システムの利便性が向上する。
【００２８】
［実施例２］
図８は、本発明による実施例２の駐車場予約システムの構成を示すブロック図である。本実施例のシステム１０２は、実施例１の構成に加え、電車、バスおよび飛行機等の交通手段を提供する各交通機関に設置された交通機関端末５１〜５３を備える。交通機関端末５１〜５３は、それぞれ同様な構成を成し、例えば交通機関端末５１は、当該交通手段の運行スケジュールや座席の予約状況等を含む路線情報を保持する記憶部５１ａと、路線情報を用いて当該交通手段の予約に関する処理を行う制御部５１ｂとを有する。各交通機関端末５１〜５３は、路線情報を定期的あるいは情報の変動がある毎にネットワーク１００を介して情報サーバ装置２０へ供給する。情報サーバ装置２０は、各交通機関端末５１〜５３からの路線情報を、図８に示す交通機関データベース２４に蓄積する。
【００２９】
本実施例は、ユーザが駐車場に車両１１を駐車後、電車等により目的地へ移動する用途に適用することができる。システム１０２により駐車場を予約する手順を図９のシーケンス図に沿って説明する。ここでは、図１０において、ユーザ車両１１で地域Ａを走行中のユーザが特急電車にて目的地のＥ駅へ向かう例を説明する。なお、特急電車は、地域Ａよりも目的地寄りの地域ＢにおけるＢ駅に発着するものとする。
【００３０】
ユーザが携帯電話機１０から情報サーバ装置２０にアクセスすると（ステップＳ２０１）、情報サーバ装置２０は、利用者のＩＤおよび検索内容を確認するための情報を携帯電話機１０に送る（ステップＳ２０２）。これにより、携帯電話機１０には図１１に示すような画面が表示される。図示の画面は、会員ＩＤの入力と併せて、駐車場のみを検索するか、あるいは交通手段を考慮して駐車場を検索するかを選択させるものである。携帯電話機１０は、入力されたＩＤおよび駐車場検索に関する選択肢を情報サーバ装置２０へ送信する（ステップＳ２０３）。このとき、ユーザが駐車場のみの検索を選択した場合は、実施例１と同様な手順により、検索および予約処理が行われる。
【００３１】
また、交通手段を考慮した駐車場の検索を指示されたとき、情報サーバ装置２０は、図１２に示すような情報を携帯電話機１０に送信し、ユーザが利用しようとしている電車の種類および降車予定の駅名を確認する（ステップＳ２０４）。ここでは、ユーザが、「利用電車」として「日本電鉄・特急」、「降車駅」として「Ｅ駅」を入力したとする。なお、駐車場の検索条件としては、図１２のような項目に限らず、例えば乗車予定駅あるいは出発・到着時刻等を適宜加えることができ、さらに、候補の列挙に関し、低コストの経路を優先する、所要時間が短い経路を優先する、乗換回数が少ない経路を優先する等、種々の条件を与えてもよい。
【００３２】
情報サーバ装置２０は、携帯電話機１０からユーザの入力情報を得ると、指定された交通機関に対応する交通機関端末から取得している路線情報のうち、ユーザの現在地である地域ＡからＥ駅方面に向かうための特急電車に関する情報を抽出する。ここでは、該当する交通機関端末を図８の交通機関端末５１とする。情報サーバ装置２０は、交通機関データベース２４に保持する交通機関端末５１からの路線情報に基づき、地域ＡのＡ駅からＥ駅方面に走行する特急電車の情報を抽出し、さらに、当該特急電車が地域ＡのＡ駅には停車せず、隣接の地域ＢにおけるＢ駅から乗車可能であることを検知する。
【００３３】
次いで、情報サーバ装置２０は、ユーザがＢ駅に発着する特急電車を利用することを考慮して、駐車場データベース２２から地域Ｂの駐車場情報を抽出する。例えば、図１０の地域ＢにおけるＢ駅周辺の「パーキングＮ」あるいは少し離れた「パーキングＰ」を優先的に抽出する。ここで、例えば、所要時間の短い順に列挙するとの検索条件がある場合は、現在地に近いＡ駅から普通電車に乗車してＢ駅で特急電車に乗り換えるようにすべく、Ａ駅周辺の「パーキングＬ」や「パーキングＭ」を優先的に抽出する。また、所要時間よりも低コストを重視する場合は、例えば現在地から地域Ｂまで車両１１で移動してＢ駅から乗車するように、Ｂ駅周辺の「パーキングＮ」を優先的に候補に挙げる。このように、情報サーバ装置２０は、ユーザから指定された検索条件に応じて、対応する駐車場を適宜抽出し、抽出した駐車場の候補と、利用電車の予約に関する選択画面の情報を携帯電話機１０に送信する（ステップＳ２０５）。
【００３４】
情報サーバ装置２０から送信した情報により、携帯電話機１０には図１３に示すような選択画面が表示される。図示の画面には、駐車場候補として地域Ｂの「パーキングＮ」および「パーキングＰ」が挙げられ、また、特急電車の予約に関し「予約しない（自由席）」、「指定席・禁煙」および「指定席・非禁煙」の選択肢が設けられている。この画面からユーザが所望の選択肢を入力すると、携帯電話機１０はその入力情報を情報サーバ装置２０へ送信する（ステップＳ２０６）。ここでは、駐車場として「パーキングＮ」、特急電車の予約として「指定席・禁煙」が選択されたものとする。情報サーバ装置２０は、選択内容をユーザに確認させるために図１４のような画面の情報を携帯電話機１０に送信し、この画面によりユーザが承諾の操作を行うと、携帯電話機１０はその旨を情報サーバ装置２０に通知する（ステップＳ２０７）。
【００３５】
情報サーバ装置２０は、駐車場に関しては、実施例１で説明した手順で予約処理を行い、また、特急電車の予約に関しては、交通機関データベース２４の路線情報を用いて当該特急電車の座席を確保する。予約する便名の選定にあたっては、例えば、ユーザが問い合わせを行った時刻と、現在地から当該乗車駅までの所要時間とを鑑みて、ユーザが乗車可能な便名を抽出する。このとき、乗車可能な便名についての複数の選択肢を列挙し、その中から所望のものをユーザに選択させるようにしてもよい。
【００３６】
次いで、情報サーバ装置２０は、駐車場および電車に関する予約確定情報を、対応する駐車場端末（４３）および交通機関端末５１に通知すると共に、図１５に示すような画面により、この予約確定情報を携帯電話機１０に通知する（ステップＳ２０８）。なお、電車の予約確定情報としては、図示の例に限らず、例えば実施例１で駐車場に関し説明した赤外線通信機能等を利用した非接触型の情報伝達手段を採用することができる。上記手順により、地域Ａを走行中のユーザが特急電車にて目的地へ移動するための駐車場および電車の予約が完了する。
【００３７】
以上説明したように、実施例２によれば、情報サーバ装置２０が、電車等の交通手段を利用することを考慮して駐車場を選定し、当該駐車場および交通手段の予約処理を行うことから、ユーザは、自己の行動プランに適した駐車場を円滑に確保することができる。これにより、いわゆる「パーク・アンド・ライド（Park and Ride）」が更に普及し、都市部への車の流入が抑制されることが期待できる。
【図面の簡単な説明】
【００３８】
【図１】本発明に係る駐車場予約システムの実施例１の構成を示すブロック図である。
【図２】実施例１における予約手順を説明するためのシーケンス図である。
【図３】実施例１の予約画面を説明するための説明図である。
【図４】実施例１の予約画面を説明するための説明図である。
【図５】実施例１の予約画面を説明するための説明図である。
【図６】実施例１の予約画面を説明するための説明図である。
【図７】実施例１における入庫手順を説明するためのシーケンス図である。
【図８】本発明に係る駐車場予約システムの実施例２の構成を示すブロック図である。
【図９】実施例２における予約手順を説明するためのシーケンス図である。
【図１０】実施例２における駐車場の配置を説明するための説明図である。
【図１１】実施例２の予約画面を説明するための説明図である。
【図１２】実施例２の予約画面を説明するための説明図である。
【図１３】実施例２の予約画面を説明するための説明図である。
【図１４】実施例２の予約画面を説明するための説明図である。
【図１５】実施例２の予約画面を説明するための説明図である。
【符号の説明】
【００３９】
１０１  駐車場予約システム
１００  ネットワーク
１０  携帯電話機
１１：ユーザ車両、１２：ナビゲーション装置
２０  情報サーバ装置
２１：顧客データベース、２２：駐車場データベース、２３：制御部
３１〜３３  駐車場
４１〜４３  駐車場端末
４１ａ：記憶部、４１ｂ：制御部、４１ｃ：予約情報取得部
【図１】
2005165757.tif 000003
【図２】
2005165757.tif 000004
【図３】
2005165757.tif 000005
【図４】
2005165757.tif 000006
【図５】
2005165757.tif 000007
【図６】
2005165757.tif 000008
【図７】
2005165757.tif 000009
【図８】
2005165757.tif 000010
【図９】
2005165757.tif 000011
【図１０】
2005165757.tif 000012
【図１１】
2005165757.tif 000013
【図１２】
2005165757.tif 000014
【図１３】
2005165757.tif 000015
【図１４】
2005165757.tif 000016
【図１５】
2005165757.tif 000017